(57)【要約】【課題】コンパクトで信頼性とメンテナンス性に優れた自動水栓を提供する。【解決手段】通水路と、前記通水路を開閉する電磁弁と、使用者を検知するセンサと、を有する本体部と、前記センサからの出力に基づいて前記電磁弁を制御する制御部が付設され、前記本体部の上に着脱可能に設けられた収容部と、を備えたことを特徴とする自動水栓を提供する。【選択図】図１
2008106593.tif 000002
【特許請求の範囲】
【請求項１】
通水路と、通水路を開閉する電磁弁と、使用者を検知するセンサと、を有する本体部と、
前記センサからの出力に基づいて前記電磁弁を制御する制御部が付設され、前記本体部の上に着脱可能に設けられた収容部と、
を備えたことを特徴とする自動水栓。
【請求項２】
前記収容部は、前記制御部を水から遮断する防水手段をさらに有することを特徴とする請求項１記載の自動水栓。
【請求項３】
前記収容部は、前記制御部を取り囲む周側壁を有することを特徴とする請求項２記載の自動水栓。
【請求項４】
前記防水手段は、前記制御部を被覆する樹脂層を有することを特徴とする請求項２または３に記載の自動水栓。
【請求項５】
前記本体部は、第１の開口と、前記第１の開口を介して水を吐水する吐水口と、を有し、
前記制御部は、前記第１の開口の最下端よりも上方に配置されたことを特徴とする請求項１〜４のいずれか１つに記載の自動水栓。
【請求項６】
前記センサは、前記吐水口に近接し、前記吐水口から吐水される水の吐水方向とほぼ同一の指向特性を有することを特徴とする請求項５記載の自動水栓。
【請求項７】
前記センサは、前記吐水口に近接し前記第１の開口の内側に後退して設けられたことを特徴とする請求項５または６に記載の自動水栓。
【請求項８】
前記本体部は、自動水栓の取付面から略垂直に延在する立設部と、前記立設部の途中から略水平方向に延在する吐水部と、を有し、
前記収容部は、前記立設部の上に設けられたことを特徴とする請求項１〜７のいずれか１つに記載の自動水栓。
【請求項９】
前記本体部は、前記通水路を流れる水により電力を生成する発電機をさらに有することを特徴とする請求項１〜８のいずれか１つに記載の自動水栓。
【請求項１０】
前記収容部は、前記電磁弁を制御可能なスイッチをさらに有することを特徴とする請求項１〜９のいずれか１つに記載の自動水栓。
【請求項１１】
前記本体部は、
前記第１の開口よりも低い位置に設けられた第２の開口と、
前記本体部の中に侵入した水を実質的に滞留させることなく前記第２の開口から排水させる排水経路と、
をさらに有することを特徴とする請求項５〜７のいずれか１つに記載の自動水栓。
【請求項１２】
前記排水経路は、複数の平坦面を有することを特徴とする請求項１１記載の自動水栓。
【請求項１３】
前記排水経路は、前記複数の平坦面の少なくともいずれかの端部と前記本体部の内壁との間に設けられた排水孔をさらに有することを特徴とする請求項１２記載の自動水栓。
【請求項１４】
前記本体部は、前記自動水栓が設置される洗面台のボウルの排水弁を操作する排水レバーをさらに有し、
前記排水レバーは、前記第２の開口から突出してなることを特徴とする請求項１１〜１３のいずれか１つに記載の自動水栓。
【発明の詳細な説明】
【技術分野】
【０００１】
本発明は、手を差し出すと自動的に吐水する自動水栓に関する。
【背景技術】
【０００２】
センサを利用して、使用者が手を差し出している間だけ水を吐水する自動水栓は、利便性が高いだけではなく、非接触式であるために衛生的であり、また「閉め忘れ」を解消することによる節水効果も高いことから広く普及しつつある。このような自動機能を実現するためには、吐水を開閉する電磁弁と、センサの出力に基づき電磁弁を制御する制御部とが必要である。従来、これら電磁弁や制御部は、カウンタに取り付けられる水栓本体とは別体として、カウンタの足下に設置されていた。これに対して、電磁弁や制御部を水栓本体に内蔵させた自動水栓が開示されている（例えば、特許文献１）。
【特許文献１】特開平８−９３０１７号公報
【発明の開示】
【発明が解決しようとする課題】
【０００３】
本発明は、コンパクトで信頼性とメンテナンス性に優れた自動水栓を提供する。
【課題を解決するための手段】
【０００４】
本発明の一態様によれば、通水路と、前記通水路を開閉する電磁弁と、使用者を検知するセンサと、を有する本体部と、前記センサからの出力に基づいて前記電磁弁を制御する制御部が付設され、前記本体部の上に着脱可能に設けられた収容部と、を備えたことを特徴とする自動水栓が提供される。
【発明の効果】
【０００５】
本発明によれば、コンパクトで信頼性とメンテナンス性に優れた自動水栓が提供される。
【発明を実施するための最良の形態】
【０００６】
以下、図面を参照しつつ本発明の実施形態について説明する。なお、各図面において、同様の構成要素には同一の符号を付している。  
図１は、本発明の第１の実施の形態に係る自動水栓の構成を表す概念図である。  
また、図２は、この自動水栓の本体３の外観及び取付例を表す模式図である。
【０００７】
本実施形態に係る自動水栓の本体３は、例えば洗面台などの基部２などに取り付けられる。自動水栓の本体３は、配管４を介して、水道水等の流入口５に接続されている。本体３は、円筒状の立設部３ａと、この立設部３ａから径外方向に延出して設けられた吐水部３ｂと、からなる本体部を有する。吐水部３ｂの先端近くには、下方に向けて開口３０が形成され、この開口３０に吐水口６が配置されている。さらにこの吐水口６の近傍にセンサ７が配置されている。具体的には、吐水口６に沿ってセンサ７を配置し、吐水口６から吐水される水の吐水方向とセンサ７の指向特性とをほぼ同一とすることで検知特性が向上し、使い勝手がよくなる。また、センサ７を開口３０の開口端よりもやや内側に引っ込んだ位置に配置することにより、センサ７に対する外乱をおさえることができる。すなわち、外部からの光の入射などを抑制し、誤動作を防止できる。
【０００８】
自動水栓の本体３の内部には、流入口５から流入し配管４を流れてきた給水を、吐水口６へと導く給水流路１０が形成されている。立設部３ａには、その給水流路１０を開閉する電磁弁８が内蔵され、さらに電磁弁８の下流側には、吐水量を一定に制限する定流量弁５５が内蔵されている。また、水道元圧が使用圧よりも高すぎる場合に減圧するための減圧弁または調圧弁（図示省略）が、電磁弁８より上流側に内蔵されている。なお、定流量弁５５、減圧弁、調圧弁は、必要に応じて適宜設けられ、またその位置も適宜変えることができる。
【０００９】
定流量弁５５より下流側の吐水部３ｂの内部には、水栓用発電機（以下、単に「発電機」とも称する）１１が内蔵されている。立設部３ａの上部には、２次電池５６及び制御部５７が設けられた収容部３ｃが設けられている。また、制御部５７には防水コネクタ５０が設けられ、センサ７や電磁弁８などとの電気接続の防水性を維持しつつ電気配線の着脱が可能とされている。
【００１０】
以上のように構成された自動水栓において、使用者が吐水口６の下に手をかざすと、これをセンサ７が感知して、制御部５７が電磁弁８を開にする。これにより、発電機１１に水が供給され、発電機１１において電力が発電されるとともに、発電機１１の内部を流れた水は吐水口６から吐水される。発電された電力は、２次電池５６へと充電された後、例えば、電磁弁８、センサ７、制御部５７の駆動に使用される。そして、使用者が吐水口６の下から手を遠ざけると、電磁弁８が閉となり、自動で水が止まる。
【００１１】
そして、本実施形態によれば、本体３は、立設部３ａに着脱可能に取り付けられた収容部３ｃを有する。  
図３は、収容部３ｃを立設部３ａから取り外した状態を表す概念図である。  
収容部３ｃは、立設部３ａに対して、例えば、挿入や圧入、嵌合、螺合、ピン止めなどの方法により着脱可能とされている。また、立設部３ａと収容部３ｃとの接合部には、図示しないＯ（オー）リングや防水シールなどの防水手段を設けてもよい。
【００１２】
一方、収容部３ｃに収容された２次電池５６及び制御部５７は、防水手段６０により防水処理が施されている。防水手段６０としては、例えば樹脂によるポッティングを挙げることができる。すなわち、エポキシ系、シリコーン系、ウレタン系などの樹脂を、収容部３ｃに収容した２次電池５６や制御部５７の上から滴下して硬化させることにより、２次電池５６や制御部５７を被覆する防水層を形成することができる。  
また、防水手段６０としては、その他にも、例えばワニス処理や、防水カバーにより２次電池５６や制御部５７を被覆する方法などを用いることもできる。
【００１３】
本実施形態によれば、制御部５７などを自動水栓の本体３に内蔵させることにより、すっきりとしコンパクトで設置性も向上する。  
図４は、比較例の自動水栓を表す模式図である。  
すなわち、本比較例においては、交流１００ボルトから電力が供給される制御部５７が洗面台８００の下に設置され、配線２００により自動水栓の本体７００と接続されている。しかし、この比較例は交流１００ボルトが供給される現場にしか設置できず、しかも、洗面台８００の下に制御部５７のボックスが配置されるので、車椅子の利用者などにとって足下が邪魔であり、また見栄えの点でも改善の余地がある。
【００１４】
これに対して、本実施形態によれば、制御部５７を自動水栓の本体３に内蔵させることにより、足下に邪魔にならず、見栄えもすっきりとする。  
そして、本実施形態によれば、２次電池５６や制御部５７を立設部３ａの上部に設けた収容部３ｃに収容することにより、これらの電気部品に水がかかることを抑止できる。例えば、立設部３ａの内部に水が侵入した場合、立設部３ａに設けられた水抜き孔（図示せず）から排出されるが、水量によっては立設部３ａの内部の水位が上昇する場合もあり得る。このように立設部３ａの内部で水位が上昇したような場合でも、開口３０に至るとそこから排出される。従って、この観点からは、２次電池５６や制御部５７が開口３０の最下端よりも鉛直上方にあるようにすればよい。
【００１５】
また、２次電池５６や制御部５７を立設部３ａの上部に設けた収容部３ｃに収容することにより、開口３０から遠ざけることができる。その結果として、開口３０から飛び込んだ水が制御部５７などに達することを抑制できる。特に、本実施形態のように、立設部３ａに対して吐水部３ｂが分岐して設けられているような場合、収容部３ｃを立設部３ａの上部に設けると、吐水部３ｂの先端付近に設けられた開口３０からみて制御部５７は屈曲した経路の先にあるため、開口３０から飛び込んだ水が制御部５７にかかりにくくなる。
【００１６】
またさらに、本実施形態によれば、防水手段６０を設けることにより、２次電池５６や制御部５７に向けて水がかかったような場合でもこれらを保護することができる。すなわち、ただ単に制御部５７などを立設部３ａの上方に配置しただけでは、水が飛散した場合や内部の水位が異常に上昇した場合など、制御部５７が被水してしまう。これに対して、本実施形態によれば、制御部５７を保護する防水手段６０を設けることにより、確実且つ容易に防水することができる。  
なお、収容部３ｃに制御部５７などを設けた場合、収容部３ｃの内壁面をポッティングケースあるいは防水カバーの取付壁として用いることができる。  
これに対して、例えば制御部５７を立設部３ａに内蔵する場合には、基板状の制御部５７をポッティングケースに収容し樹脂などによるポッティング処理を施す必要がある。しかし、このようにポッティングケースに収容した制御部５７を収容するためには大きな空間が必要となり、立設部３ａが大型化して見栄えが悪くなる。  
これに対して、本実施形態によれば、防水手段６０を設けるための余剰な構造やスペースが不要となり、自動水栓のサイズの大型化を防ぐことができる。
【００１７】
そしてさらに、２次電池５６や制御部５７を設けた収容部３ｃを立設部３ａから着脱可能としたことにより、これら電気部品の点検保守や修理、交換などが可能となる。またここで、センサ７や電磁弁８などからひきだされた電気配線の２次電池５６や制御部５７への接続部に防水コネクタ５０を設けると、これら電気配線の接続部における防水性も確保しつつ、電気配線も着脱可能とすることができ、点検保守や修理、交換をより円滑に実施することができる。
【００１８】
なお、図１及び図２に表した実施形態の場合、収容部３ｃには、２次電池５６と制御部５７とが設けられているが、本発明はこれに限定されず、例えば制御部５７のみを収容部３ｃに設けてもよい。この場合、２次電池５６は、収容部３ｃよりも下方の立設部３ａまたは吐水部３ｂの中に設けられることとなるが、防水処理を適宜施すことにより、水の侵入によるショートなどを防止できる。そして、２次電池５６のサイズが大きい場合などには、このように立設部３ａなどに２次電池５６を収容することにより、収容部３ｃのサイズを小さくでき、自動水栓の本体３のデザインに影響を与えることなく、サイズをコンパクトに維持でき、自動水栓の限られた内部スペースを有効に活用できる。
【００１９】
また、図１及び図２に表した実施形態の場合、発電機１１が設けられているが、本発明はこれには限定されない。すなわち、発電機１１を設けず、１次電池を内蔵して制御部５７、センサ７、電磁弁８などを動作させる自動水栓であってもよい。この場合、２次電池５６の代わりに１次電池を収容部３ｃに収容することができる。ただしその時には、電池の交換を容易にするために、防水手段６０を着脱可能な防水カバーなどとすることが望ましい。また、１次電池を収容部３ｃには設けず、立設部３ａなどに内蔵させてもよい。この場合も、防水コネクタなどを用いて防水処理を施せば、水に濡れた時のショートなどを防止でき、且つ交換も容易となる。そして、この場合にも、制御部５７を収容部３ｃに設けることにより、制御部５７の被水を回避し、且つ点検保守や修理、交換などの作業も可能となる。
【００２０】
図５及び図６は、本実施形態の自動水栓の第２の実施の形態にかかる自動水栓を表す模式図である。  
本実施形態においては、自動水栓の本体部は、立設部と吐水部とに明確には分かれておらず、一体的な形態を有する。そして、その上部に収容部３ｃが着脱可能に設けられている。収容部３ｃには制御部５７が設置され、防水手段６０が設けられている。  
このように一体的な形態を有する自動水栓の場合にも、その上部に収容部３ｃを着脱可能に設け、ここに制御部５７を配置して防水手段６０を設けることにより、自動水栓の内部に水が侵入した場合でも、制御部５７の被水を防止でき、また制御部５７の点検保守や修理、交換などの作業も可能となる。
【００２１】
また、本実施形態においても、制御部５７を開口３０の最下端よりも鉛直上方に設置することにより、被水をより確実に防止できる。
【００２２】
なお、本実施形態においても、図１及び図３に関して前述したものと同様に、収容部３ｃに１次電池や２次電池を設けてもよい。
【００２３】
以下、実施例を参照しつつ、本発明の実施の形態についてさらに具体的に説明する。  
（第１の実施例）
図７は、本発明の第１の実施例に係る自動水栓の内部構造を表す模式図である。すなわち、同図（ａ）は、自動水栓の縦断面図であり、同図（ｂ）はそのＡ−Ａ線断面図であり、同図（ｃ）はその先端付近の斜め下方向からみた矢視図である。  
また、図８は、この自動水栓のＢ−Ｂ線断面図である。  
また、図９は、この自動水栓のＣ−Ｃ線断面図である。
【００２４】
本実施例の自動水栓の本体３は、第１実施形態に関して前述したものと類似した構造を有し、洗面台などの基部２から略垂直に立設される略円筒状の立設部３ａと、立設部３ａから径外方向に延出した吐水部３ｂと、を有する。
【００２５】
洗面台などの基部２の下方に接続された配管４を介して外部から供給される水は、給水流路１０を流れ、立設部３ａに内蔵されたフィルタ１９（図８）、電磁弁８を流れ、エルボー２０を介して吐水部３ｂに至る。吐水部３ｂにおいては、定流量弁５５から発電機１１を介して吐水口６に至る。なお、吐水口６には、泡沫キャップ６６が設けられている。吐水口６は、吐水部３ｂに設けられた開口３０に望み、その上方にはセンサ７が設けられている。
【００２６】
また、立設部３ａの背面側の下方には、排水レバー７０が設けられ、その上下動作が、リンク７２に設けられたレバー７４に伝達される。リンク７２には、図示しない「ワイヤー式」の伝達機構が結合される。「ワイヤー式」の伝達機構の先端には洗面台のボウルの排水弁が接続され、自動水栓の本体３の排水レバー７０の上下動作によりボウルの排水弁を開閉できる。
【００２７】
そして、本実施例においては、立設部３ａの上に収容部３ｃが設けられている。収容部３ｃは、円筒状の立設部３ａの上端に挿入され、その接続部はＯ（オー）リング３２０により液密が維持されている。そして、収容部３ｃには、基板上に形成された制御部５７及び２次電池５６が設けられている。制御部５７と２次電池５６は、樹脂ポッティングによる防水手段６０により保護されている。なお、２次電池５６としてはいわゆるキャパシタを用いることができ、制御部５７が有する基板に接続されている。樹脂によるポッティングは、このキャパシタの接続部を覆うように設けることで電気接続部分を被覆し、被水によるショートなどを防止できる。したがって、制御部５７の基板から離間した２次電池５６の突出部はポッティングにより被覆されていなくてもよい。また、制御基板５８には防水コネクタ５０が設けられ、センサ７や電磁弁８などと電気的に接続されるとともに、防水性を維持しつつ配線の着脱が可能とされている。
【００２８】
図１０は、収容部３ｃを取り外した状態の斜視図である。  
また、図１１は、収容部３ｃの組立図である。なお、図１０及び図１１においては、便宜上、防水手段６０は省略した。
【００２９】
収容部３ｃは、中空リング状の枠部３０２と、枠部３０２に挿入される筺状の周側壁３０４と、を有する。周側壁３０４の内部底面には、ストッパ３０６が立設されている。一方、制御部５７は、基板５８と、その上に設けられた防水コネクタ５０、２次電池５６及びその他の電気部品５９を有する。電気部品５９は、例えば、ＩＣチップやコンデンサ、抵抗などである。
【００３０】
基板５８は、周側壁３０４の中に挿入可能な形状及びサイズを有し、その両端には切り欠き５８Ａが設けられている。これら切り欠き５８Ａは、周側壁３０４に設けられたストッパ３０６と係合して、制御部５７を保持可能としている。
【００３１】
本具体例においては、筺状の周側壁３０４の中に制御部５７を収容することにより、樹脂などを用いたポッティングが容易となる。すなわち、周側壁３０４が、制御部５７を収容するポッティングケースとしての役割を果たし、制御部５７を収容して樹脂を滴下することで、確実且つ容易に防水構造を実現できる。
【００３２】
また、防水手段６０として、ポッティングの代わりに、防水カバーやワニス処理を採用する場合にも、周側壁３０４を設けることにより確実且つ容易に防水構造を実現できる。例えば、樹脂などの防水カバーを制御部５７の上に設ける場合には、２次電池５６の全体も覆い、周側壁３０４の内周壁に向けて圧接するようなカップ状の防水カバーを被せることにより、防水カバーの周囲から制御部５７への液体の侵入を抑止できる。また、ワニス処理を施す場合にも、周側壁３０４の内部に防水剤を塗布すればよく、確実且つ容易に防水構造を実現できる。
【００３３】
図１２は、収容部３ｃの他の具体例を表す斜視図である。  
また、図１３は、図１２の収容部３ｃの組立図である。
【００３４】
本具体例においては、収容部３ｃにスイッチが設けられている。すなわち、周側壁３０４の底面３０４Ａには、凹設部３０４Ｂが設けられ、ここに、スプリングを有するスイッチエレメント３１０が収容される。そして、その上を被覆カバー３０８にて覆う。被覆カバー３０８は、周側壁３０４の底面３０４Ａに接着剤により貼り付けられ固定される。被覆カバー３０８が貼り付けられた状態で液密が維持され、スイッチエレメント３１０が収容された空間への液体の侵入を防ぐことができる。そして、被覆カバー３０８の中央付近を押すことにより、スイッチエレメント３１０を凹設部３０４Ｂの中で下方に移動させることができる。  
一方、制御部５７の基板５８の裏面側には、接点素子５４が設けられ、スイッチエレメント３１０が下方に移動すると、接点素子５４が導通する。
【００３５】
このようにして形成されたスイッチは、例えば、スイッチを押すと電磁弁８が開いて吐水が開始され、もう一度スイッチを押すと電磁弁８が閉じて吐水が停止し待機状態になる。待機状態においては、センサ７の出力に応じて吐水を制御する自動開閉動作が実行される。
【００３６】
本具体例によれば、このようなスイッチ構造を制御部５７と一体的に収容部３ｃに設けることができ、コンパクトな自動水栓を実現できる。しかも、これら電気要素に対する被水を抑制するとともに、確実な防水処理を施すことができる。
【００３７】
（第２の実施例）
図１４は、本発明の第２の実施例に係る自動水栓の断面構造を表す模式図である。  
また、図１５は、本実施例の自動水栓において、収容部３ｃを取り外した状態を表す模式図である。これらの図については、図１〜図１３に関して前述したものと同様の要素には同一の符号を付して詳細な説明は省略する。
【００３８】
本実施例の自動水栓の本体３は、第２実施形態に関して前述したものと類似した構造を有する。  
すなわち、この自動水栓の本体３は、立設部と吐水部とに明確に分かれておらず、一体的な形態を有する。そして、やはり先端付近から下方に開放した開口３０を有し、ここに吐水口６が望んでいる。そして、吐水口６の上方にはセンサ７が設けられている。
【００３９】
そして、本実施例の自動水栓においても、一体的な本体部３ａの上方に収容部３ｃが設けられている。収容部３ｃは、ネジ３３０により本体部３ａに対して着脱可能に固定されている。収容部３ｃには周側壁に取り囲まれた凹部３４０が設けられ、２次電池５６と制御部５７は、この凹部に収容されている。そして、これら２次電池５６と制御部５７とを覆うように、樹脂のポッティングによる防水手段６０が設けられている。
【００４０】
本実施例においても、本体部３ａの上部に配置される収容部３ｃに制御部５７を設けることにより、例えば開口３０から水が飛散したような場合でも、制御部５７の被水を抑制できる。また、開口３０の最下端よりも高い位置に制御部５７を配置することより、本体部３ａの内部に侵入した水の水位が上昇した場合でも、開口３０から排水させることにより、制御部５７が水没することを回避できる。
【００４１】
そして、本実施例においても、防水手段６０を設けることにより、仮に制御部５７に水が至った場合でも、ショートや故障などを抑止できる。そしてさらに、制御部５７を収容した収容部３ｃを本体部３ａから着脱可能としたことにより、制御部５７の点検保守や修理、交換などが可能となる。
【００４２】
（第３の実施例）
図１６は、本発明の第３の実施例に係る自動水栓を表す模式図である。すなわち、図１６（ａ）は自動水栓の縦断面図であり、図１６（ｂ）はこの自動水栓の収容部３ｃを取り外して本体部３ａを上方から眺めた模式図であり、図１６（ｃ）は図１６（ａ）のＡ−Ａ線断面図である。これらの図についても、図１〜図１５に関して前述したものと同様の要素には同一の符号を付して詳細な説明は省略する。
【００４３】
本実施例の自動水栓の本体３も、第２実施例と同様に、第２実施形態に関して前述したものと類似した構造を有する。  
すなわち、この自動水栓の本体３も、立設部と吐水部とに明確に分かれておらず、一体的な形態を有する。そして、やはり先端付近から下方に開放した開口３０を有し、ここに吐水口６が望んでいる。そして、吐水口６の上方にはセンサ７が設けられている。
【００４４】
また、本実施例の自動水栓は、湯水混合型の自動水栓である。すなわち、本体部３ａには、水が供給される配管４Ａと、湯が供給される配管４Ｂと、が設けられている。これら配管４Ａ、４Ｂから供給された水と湯は、ミキシングバルブ８０においてその混合比が調整される。また、ミキシングバルブ８０には、ストレーナ８２が挿入されており、電磁弁８よりも上流側でゴミや切り粉などの異物が除去可能とされている。なお、ミキシングバルブ８０は、図１６（ｃ）において向かって左側に引き抜くことが可能とされ、例えば、ストレーナ８２の洗浄や交換などのメンテナンス作業を容易に実行できる。
【００４５】
また、本実施例においては、電磁弁８の下流側にハイカット弁８４が設けられている。ハイカット弁８４は、所定の温度を超えた湯の通過を阻止する役割を有する。すなわち、自動水栓に対して一時的に熱湯が供給された場合などでも、ハイカット弁８４を設けることにより、使用者が火傷することを防止でき安全に使用できる。
【００４６】
そして、本実施例の自動水栓においても、一体的な本体部３ａの上方に収容部３ｃが設けられている。収容部３ｃは、本体部３ａに対して着脱可能に固定されている。収容部３ｃには周側壁に取り囲まれた凹部３４０が設けられ、２次電池５６と制御部５７は、この凹部に収容されている。そして、制御部５７を覆うように、樹脂のポッティングによる防水手段６０が設けられている。
【００４７】
本実施例においても、本体部３ａの上部に配置される収容部３ｃに制御部５７を設けることにより、例えば開口３０から水が飛散したような場合でも、制御部５７の被水を抑制できる。また、開口３０の最下端よりも高い位置に制御部５７を配置することより、本体部３ａの内部に侵入した水の水位が上昇した場合でも、開口３０から排水させることにより、制御部５７が水没することを回避できる。
【００４８】
そして、本実施例においても、防水手段６０を設けることにより、仮に制御部５７に水が至った場合でも、ショートや故障などを抑止できる。そしてさらに、制御部５７を収容した収容部３ｃを本体部３ａから着脱可能としたことにより、制御部５７の点検保守や修理、交換などが可能となる。
【００４９】
またさらに、本実施例においては、本体部３ａの中に水が侵入した場合でも、円滑に排水できる。  
すなわち、発電機１１が収容されている本体部３ａの空間の下には、第１の平坦面３ｄが設けられている。第１の平坦面３ｄは、ハイカット弁８４を内蔵する通水流路１０の外壁の両側を回り込んで、電磁弁８の近傍まで延在している。
【００５０】
そして、電磁弁８が収容されている本体部３ａの空間の下には、第２の平坦面３ｅが設けられている。第２の平坦面３ｅは、第１の平坦面３ｄよりも低い位置に設けられ、電磁弁８の取付部の両側を回り込んで本体部３ａの後端近くまで延在している。
【００５１】
そして、第２の平坦面３ｅの端には、排水開口９０が設けられている。排水孔９０は、第２の平坦面３ｅの端部と本体部３ａの内壁との間に設けられ、排水レバー７０が設けられた空間に連通している。この空間の下には、第３の平坦面３ｆが設けられている。そして、この平坦面３ｆは、排水レバー７０が突出する開口９２に延在している。平坦面３ｆと開口９２との間には水の流れを阻止する突出部などはなく、平坦なまま開口９２に至る。
【００５２】
図１７は、本実施例の自動水栓の本体部３ａの排水経路を例示する模式図である。
【００５３】
例えば、吐水口６が突出した開口３０から水が侵入した場合、この水は、同図に矢印Ａで表したように、まず第１の平坦面３ｄに落下する。そして、矢印Ｂで表したように、ハイカット弁８４を内蔵する通水流路１０の外壁の両側を回り込んで、第２の平坦面３ｅに落下する。第２の平坦面３ｅに落下した水は、矢印Ｃで表したように、電磁弁８の両側を回り込んで、排水孔９０を本体部３ａの内壁に沿って落下する。排水孔９０を落下した水は、矢印Ｄで表したように、平坦面３ｆから開口９２を経て本体部３ａの後ろ側に排水される。
【００５４】
なお、排水レバー７０が取り付けられたシャフト７７（図１６参照）の周囲の隙間から水が下方に漏れ出すことを防止するため、シャフト７７の周囲には防水シール７８（図１６参照）が設けられている。
【００５５】
以上説明したように、本実施例においては、第１の平坦面３ｄと、これよりも低い第２の平坦面３ｅと、を設け、さらに排水孔９０を介して第３の平坦面３ｆから開口９２に至る排水経路が設けられている。そして、この排水経路の途中に、逆勾配や、水の流出を妨げる段差などは設けられていない。その結果として、本体部３ａの中に侵入した水を円滑且つ速やかに排水することができる。  
また、本実施例においては、排水レバー７０の開口９２を水抜き用の開口として利用しているので、新たに排水用の開口を本体部３ａに形成する必要もない。
【００５６】
なお、図１６及び図１７には、第１〜第３の平坦面３ｄ、３ｅ、３ｆの組み合わせによる排水経路を設けた具体例を表したが、本発明はこれには限定されない。例えば、複数の平坦面の代わりに、単一の平坦面を介して排水してもよい。また、平坦面の代わりに、排水方向に下り勾配となる面を設けると、排水はさらに促進される。すなわち、本体部３ａの中に侵入した水を本体部に滞留させることなく開口９２から排水可能とした排水経路が設けられていればよい。
【００５７】
以上、具体例を参照しつつ本発明の実施の形態について説明した。  
しかし、本発明はこれらの具体例には限定されない。例えば、本発明の自動水栓を構成する制御部、電磁弁、定流量弁、発電機、吐水口、センサ、制御部、１次電池、２次電池、及び立設部や収容部の形状、構造、材質、サイズなどについて、当業者が適宜変更を加えたものであっても、本発明の要旨を有する限りにおいて、本発明の範囲に包含される。
【図面の簡単な説明】
【００５８】
【図１】本発明の第１の実施の形態に係る自動水栓の構成を表す概念図である。
【図２】自動水栓の本体３の外観及び取付例を表す模式図である。
【図３】収容部３ｃを立設部３ａから取り外した状態を表す概念図である。
【図４】比較例の自動水栓を表す模式図である。
【図５】本実施形態の自動水栓の第２の実施の形態にかかる自動水栓を表す模式図である。
【図６】本実施形態の自動水栓の第２の実施の形態にかかる自動水栓を表す模式図である。
【図７】本発明の第１の実施例に係る自動水栓の内部構造を表す模式図である。
【図８】図７の自動水栓のＢ−Ｂ線断面図である。
【図９】図７の自動水栓のＣ−Ｃ線断面図である。
【図１０】収容部３ｃを取り外した状態の斜視図である。
【図１１】収容部３ｃの組立図である。
【図１２】収容部３ｃの他の具体例を表す斜視図である。
【図１３】図１２の収容部３ｃの組立図である。
【図１４】本発明の第２の実施例に係る自動水栓の断面構造を表す模式図である。
【図１５】本実施例の自動水栓において、収容部３ｃを取り外した状態を表す模式図である。
【図１６】本発明の第３の実施例に係る自動水栓を表す模式図である。
【図１７】第３の実施例に係る自動水栓における排水経路を例示する模式図である。
【符号の説明】
【００５９】
２  基部、３ 本体、  ３ａ 立設部（本体部）、  ３ｂ 吐水部、  ３ｃ 収容部、  ３ｄ、３ｅ、３ｆ  平坦面、４ 配管、  ５ 流入口、  ６ 吐水口、  ７ センサ、  ８ 電磁弁、 １０ 給水流路、 １１ 水栓用発電機、 １９ フィルタ、 ２０ エルボー、 ３０ 開口、 ５０ 防水コネクタ、 ５４ 接点素子、 ５５ 定流量弁、 ５６ ２次電池、 ５７ 制御部、 ５８ 基板、 ５８Ａ 切り欠き、 ５９ 電気部品、 ６０ 防水手段、 ６６ 泡沫キャップ、 ７０ 排水レバー、 ７２ リンク、 ７４ レバー、７７  シャフト、  ７８  防水シール、８０  ミキシングバルブ、  ８２  ストレーナ、８４  ハイカット弁、９０  排水孔、  ９２  開口、２００ 配線、３０２ 枠部、３０４ 周側壁、３０４Ａ 底面、３０４Ｂ 凹設部、３０６ ストッパ、３０８ 被覆カバー、３１０ スイッチエレメント、３２０ リング、３３０ ネジ、３４０ 凹部、８００ 洗面台
【図１】
2008106593.tif 000003
【図２】
2008106593.tif 000004
【図３】
2008106593.tif 000005
【図４】
2008106593.tif 000006
【図５】
2008106593.tif 000007
【図６】
2008106593.tif 000008
【図７】
2008106593.tif 000009
【図８】
2008106593.tif 000010
【図９】
2008106593.tif 000011
【図１０】
2008106593.tif 000012
【図１１】
2008106593.tif 000013
【図１２】
2008106593.tif 000014
【図１３】
2008106593.tif 000015
【図１４】
2008106593.tif 000016
【図１５】
2008106593.tif 000017
【図１６】
2008106593.tif 000018
【図１７】
2008106593.tif 000019